(57)【特許請求の範囲】
【請求項１】
物体側より順に、負の屈折力を持つ第1レンズ群、負の屈折力を持つ第２レンズ群、正の屈折力を持つ第３レンズ群によって構成され、広角端から望遠端への変倍により第１レンズ群と第２レンズ群の間隔が狭まり、第２レンズ群と第３レンズ群の間隔が変化し、広角端画角が８０°以上１１５°以下であり、全光学系の広角端の焦点距離をfwとし、前記第1レンズ群の焦点距離をf1とし、第3レンズ群の焦点距離をf3とし、全光学系の望遠端の焦点距離をftとするとき、以下の条件を満たす広角ズームレンズ。
（1）  2.0 ≦ ft ／ fw
（3）  1.5 ≦ f3/fw ≦ 4.5
（6）  0.8  ≦  | f1  ／  fw |  ≦  1.6
【請求項２】
前記第1レンズ群の焦点距離をf1とし、全光学系の広角端の焦点距離をfwとするとき、下記の条件式を満足することを特徴とする請求項１に記載の広角ズームレンズ。
（2）  0.8 ≦ | f1/fw | ≦ 3.0
【請求項３】
前記第１レンズ群と第２レンズ群の広角端における軸上空気間隔をD1wとするとき、下記の条件式を満足することを特徴とする請求項１に記載の広角ズームレンズ。
（4）  0.65 ≦ D1w/fw
【請求項４】
広角端画角が１００度を超え、前記光学系の最も物体側のレンズ面を広角端の最軸外主光線が通過する位置までの光軸からの距離をhとするとき、下記の条件式を満足することを特徴とする請求項１に記載の広角ズームレンズ。
（5）  | h |  ／  fw ≦  3.0
【請求項５】
前記光学系の第1群を物体側から順にどちらも負の屈折力を持つ第1A群と第1B群に分割したとき、無限遠物体から近距離物体へのフォーカシングを第１B群を物体側へ移動させて行うことを特徴とする請求項１ないし４のいずれか一項に記載の広角ズームレンズ。
【発明の詳細な説明】
【技術分野】
【０００１】
本発明は、結像寸法がＡＰＳ−Ｃサイズである撮像素子を有する一眼レフレックスデジタルカメラ等で使われる、変倍比が大きくかつ広角の広角ズームレンズに関する。
【背景技術】
【０００２】
広角端画角が大きく、変倍比が２倍以上の従来の広角ズームレンズは、主に、負、負、正の屈折力を持つレンズ群からなる３群ズームレンズタイプである。
例えば、物体側より順に、第１レンズ群、第２レンズ群、第３レンズ群から構成され、前記第１レンズ群は全体で負の屈折力を有し、物体側に負レンズである第１レンズで構成され、前記第２レンズ群は正レンズである第２レンズおよび前記第２レンズの像面側に負レンズである第３レンズを配して構成され、前記第３レンズ群は全体で正の屈折力を有し、正レンズである第４レンズ、同じく正レンズである第５レンズ、前記第５レンズと接合して配置される負レンズである第６レンズおよび弱い負または弱い正の屈折力を有する第７レンズを配して構成され、前記第１レンズ群，前記第２レンズ群及び前記第３レンズ群の位置を移動することにより変倍を成しているズームレンズが提案されている（特許文献１参照）。
【０００３】
ズーム倍率が大きくなってレンズ群の移動量が増え、レンズ群の数が多くなっても、レンズ群が移動するためのスペースが増大せず、光学系の全長が短い従来の広角ズームレンズとして、物体側から順に負、負、正の屈折力を持つレンズ群から成り、７５度程度の画角を持ち、２倍を越える変倍比を持つズームレンズも提案されている（例えば、特許文献２参照）。
【０００４】
大きな広角端画角の他の従来のズームレンズとして、物体側から順に負の屈折力を有する第１レンズ群、負の屈折力を有する第２レンズ群、正の屈折力を有する第３レンズ群で構成され、前記第２レンズ群と前記第３レンズ群を光軸に沿って移動させてズーミングを行う広角ズームレンズが提案されている（例えば、特許文献３参照）。これは、広角端画角が１１２度程度、３５ｍｍライカ版にして焦点距離１４ｍｍを実現できる。
【０００５】
さらに広角端画角の大きい他の従来のズームレンズとして、物体側から順に負、負、正の屈折力を持つレンズ群から成り、８０度程度の画角を持つ広角ズームレンズも提案されている（例えば、特許文献４参照）。
【０００６】
【特許文献１】特開２００６−３０１３９３号公報
【特許文献２】特開平２−２５９６１４号公報
【特許文献３】特開平４−２７５５１５号公報
【特許文献４】特開昭５３−１０３７５３号公報
【発明の開示】
【発明が解決しようとする課題】
【０００７】
引用文献1によって提案されている負負正の屈折力を持つレンズ群から構成され、変倍比２倍を越えるズームレンズは、それぞれ全長が短い等の利点を有しているが、広角端画角が７５度程度であり、さらに大きな広角端画角の要望を満たすことができない問題がある。
【０００８】
引用文献２によって提案されている負負正の屈折力を持つレンズ群から構成されたズームレンズは、広角端画角が７５度程度であり、さらに大きな広角端画角の要望に程遠い問題がある。
引用文献３によって提案されたズームレンズは、広角端画角が１１２度程度、３５ｍｍライカ版にして焦点距離１４ｍｍを実現できるが、変倍比が1.3倍程度にとどまるという問題がある。
【０００９】
引用文献４によって提案されているズームレンズは、負負正の構成を持ち広角端で約８０度程度の撮影画角を持つ広角ズームレンズであるが、変倍比は1.6倍程度にとどまっている。
【００１０】
（発明の目的）
本発明は、従来の広角ズームレンズの上述した問題に鑑みてなされたものであって、広角端画角が８０度以上１１５度以下と大きく、かつズーム倍率が２以上であり、かつ球面収差、歪曲収差、非点収差を適切に補正した広角ズームレンズを提供することを目的とする。
本発明はまた、ズーム倍率が大きくなってレンズ群の移動量が増え、レンズ群の数が多いこともあっても、レンズ群が移動するためのスペースが増大せず、光学系の全長が短い広角ズームレンズを提供することを目的とする。
【００１１】
本発明はさらに、最軸外主光線が光学系の最も物体側の面を通過する高さを小さく抑えることによって光学系の径方向の大きさ、特に最も物体側のレンズの有効径を小さくし、コンパクト化及びコストダウンの要望に応えた広角ズームレンズを提供することを目的とする。
本発明はさらに、無限遠物体から近距離物体へのフォーカシングを第1群の像側にある部分群１Ｂ群で行うことにより、第1群全体を移動させて行うものにくらべて、第1群の有効径を小さくでき、さらに比較的小型軽量のレンズ群を移動させて行うことによって、レンズ群の駆動が容易な広角ズームレンズを提供することを目的とする。
【課題を解決するための手段】
【００１２】
本発明は、
物体側より順に、負の屈折力を持つ第1レンズ群、負の屈折力を持つ第２レンズ群、正の屈折力を持つ第３レンズ群によって構成され、広角端から望遠端への変倍により第１レンズ群と第２レンズ群の間隔が狭まり、第２レンズ群と第３レンズ群の間隔が変化し、広角端画角が80度を超え、全光学系の広角端の焦点距離をfwとし、全光学系の望遠端の焦点距離をftとするとき、以下の条件を満たす広角ズームレンズ。
（1）  2.0 ＜ ft ／ fw
【００１３】
本発明の実施形態は、以下のとおりである。
前記第1レンズ群の焦点距離をf1とし、第3レンズ群の焦点距離をf3とし、全光学系の広角端の焦点距離をfwとするとき、 下記の条件式を満足することを特徴とする広角ズームレンズ。
（2）  0.8 ＜ | f1/fw | ＜ 3.0
（3）  1.5 ＜ f3/fw ＜ 4.5
【００１４】
前記第１レンズ群と第２レンズ群の広角端における軸上空気間隔をD1wとするとき、下記の条件式を満足することを特徴とする広角ズームレンズ。
（4）  0.65 ＜ D1w/fw
【００１５】
広角端画角が１００度を超え、前記第1レンズ群の焦点距離をf1とし、前記光学系の最も物体側のレンズ面を広角端の最軸外主光線が通過する位置までの光軸からの距離をhとするとき、下記の条件式を満足することを特徴とする広角ズームレンズ。
（5）  | h |  ／  fw ＜  3.0
（6）  0.8  ＜  | f1  ／  fw |  ＜  1.6
【００１６】
前記光学系の第1群を物体側から順にどちらも負の屈折力を持つ第1A群と第1B群に分割したとき、無限遠物体から近距離物体へのフォーカシングを第１B群を物体側へ移動させて行うことを特徴とする広角ズームレンズ。
【００１７】
（発明の条件式）
広角端で８０度を越え１１５度までの画角を確保し、２倍を超える高変倍比とするために、レンズ構成を対物側から順に負、負、正の屈折力を持つレンズ群とし、広角端から望遠端への変倍に際して第１レンズ群と第２レンズ群の間隔が狭まるようにした。広角端で最も第１レンズ群と第２レンズ群の間隔が広がるようにしたことで、広角端の短い焦点距離においても十分なバックフォーカスを確保することができる。条件式（１）は、変倍比が２倍を超えていることを規定した。
【００１８】
条件式（２）は、ズームレンズの広角端の全系の焦点距離に対して第１レンズ群の焦点距離の比を規定した。条件式（２）の下限を超えると、第１レンズ群の焦点距離が短くなるため、画角を増やすには有効であって、歪曲収差・非点収差を抑えることが困難となる。条件式（２）の上限を超えると、第１レンズ群の焦点距離が長くなるため、画角を８０度以上にすることが困難となる。
【００１９】
条件式（３）は、ズームレンズの広角端の全系の焦点距離に対して第３レンズ群の焦点距離の比を規定した。条件式（３）の下限を超えると、第3レンズ群の焦点距離が短くなるため、球面収差・非点収差を抑えるのが困難となる。条件式（３）の上限を超えると、第3レンズ群の焦点距離が長くなるため、広角端から望遠端まで変倍するために必要な第3レンズ群の移動量が大きくなる。
【００２０】
条件式（４）は、ズームレンズの広角端の全系の焦点距離に対して第１レンズ群と第２レンズ群の広角端における軸上空気間隔の比を規定した。条件式（４）の下限を超えると、第1レンズ群と第2レンズ群の間隔が広がるため、広角端においてバックフォーカスを確保することが困難となる。
【００２１】
条件式（５）は、最も物体側のレンズ面を、広角端の最軸外主光線が通過する位置までの光軸からの距離と広角端の焦点距離の比を規定した。条件式（５）の上限を超えると、最も物体側のレンズを通る光線の高さが大きくなり、レンズの外径が大きくなる。
【００２２】
条件式（６）は、ズームレンズの広角端の全系の焦点距離に対して第１レンズ群の焦点距離の比を規定した。条件式（６）の下限を超えると、第１レンズ群の焦点距離が短くなるため、画角を増やすには有効でも、歪曲収差・非点収差を抑えるのが困難となる。条件式（６）の上限を超えると、第１レンズ群の焦点距離が長くなるため、画角を１００度以上にすることが困難となる。
【発明の効果】
【００２３】
本発明の超広角ズームレンズは、広角端画角が１００度以上と大きく、かつズーム倍率が２以上であり、かつ球面収差、歪曲収差、非点収差を適切に補正した超広角ズームレンズを構成することができる効果を有する。
本発明の超広角ズームレンズはまた、ズーム倍率が大きくなってレンズ群の移動量が増え、レンズ群の数が多いこともあっても、レンズ群が移動するためのスペースが増大せず、光学系の全長が短い超広角ズームレンズを構成することができる効果を有する。
【００２４】
本発明超広角ズームレンズはさらに、最軸外主光線が光学系の最も物体側の面を通過する高さを小さく抑えることで光学系の径方向の大きさ、特に最も物体側のレンズの有効径を小さくし、コンパクト化及びコストダウンの要望に応えた超広角ズームレンズを構成することができる効果を有する。
本発明の超広角ズームレンズはさらに、無限遠物体から近距離物体へのフォーカシングを第1群の像側にある部分群１Ｂ群で行うことにより、第1群全体を移動させて行なうものにくらべて、第1群の有効径を小さくでき、さらに比較的小型軽量のレンズ群を移動させて行なうことによって、レンズ群の駆動が容易な超広角ズームレンズを構成することができる効果を有する。
【発明を実施するための最良の形態】
【００２５】
（第１実施形態）
ｆ＝12.02〜15.50〜24.58
ズーム比=2.045
Fno=3.9〜4.1〜4.6
2ω＝102.4〜88.8〜62.7°
像高Y=14.5mm
【００２６】
下記レンズデータを示す表において、ｆは焦点距離、FnoはFナンバー、2ωは画角を示す。また第1カラムNOは面番号、第2カラムRは面番号に対応する面の曲率半径、第3カラムDは面番号に対応する面のレンズ厚さ及び空気間隔、第4カラムNdは面番号に対応する面のｄ線（波長λ＝587.6nm）における屈折率、第５カラムνｄはアッべ数を表す。なお、第3カラム中のｄは変倍によって変化する空気間隔を示す。第1カラムNO の* は非球面を表す。
【００２７】
NO         R           D           Nd           νｄ
1*     168.0454      3.0000     1.74330       49.22
2       19.0340     14.6291     1.00000
3     -156.6511      1.2000     1.83481       42.72
4       21.1955      0.2000     1.53610       41.20
5*      22.2937      0.7601     1.00000
6       17.1095      4.0840     1.64769       33.84
7       43.8481          d7     1.00000
8 絞り      0.0000      2.0990     1.00000
9      -19.2718      1.7655     1.58144       40.89
10      -10.1756      0.8000     1.88300       40.80
11      -25.8363      0.1500     1.00000
12       45.5062      3.4667     1.67270       32.17
13      -14.0743      0.8000     1.88300       40.80
14      -18.7893      0.2838     1.00000
15      -16.0732      0.8000     1.88300       40.80
16      124.7596      1.8203     1.92286       20.88
17      -49.4947         d17     1.00000
18       23.4316      7.1658     1.49700       81.61
19      -34.8784      0.1500     1.00000
20       24.6499      0.9000     1.83400       37.34
21       17.5058      0.8500     1.00000
22       22.0452      9.1447     1.49700       81.61
23      -14.2643      0.9000     1.90366       31.32
24     -320.7233      2.5402     1.00000
25*     -89.1125      0.2000     1.53610       41.20
26      -47.2459      5.0698     1.48749       70.44
27      -17.3284          BF     1.00000
【００２８】
変倍における可変間隔
ｆ          12.02       15.50       24.58
d7          14.279       9.710       4.292
d17          6.385       3.916       0.184
BF          42.677      50.202      70.075
【００２９】
各焦点距離におけるレンズ全長（レンズ最前面〜像面）
f            12.02       15.50       24.58
OAL        126.121     126.607     137.330
【００３０】
各レンズ群の焦点距離
第1群      -15.405
第2群      -84.180
第3群       27.533
【００３１】
非球面を表す式は、光軸をx、光軸に垂直な高さをH、曲率半径をｒ、円錐計数をA、ｎ次の非球面計数をAnとするとき、以下の式（１）で表される。各面の各値は以下のとおりである。
【数１】
0005286518.tif 000002
【００３２】
非球面係数
（r1）
A=         1.0
A4=  2.39344E-05
A6= -4.12984E-08
A8=  5.74058E-11
A10= -2.79066E-14
（r5）
A=         1.0
A4=  3.28709E-05
A6= -3.97606E-07
A8=  2.66226E-09
A10= -7.04849E-12
（r25）
A=         1.0
A4= -4.43602E-05
A6= -4.74406E-09
A8= -1.80482E-11
A10= -6.79526E-13
【００３３】
（第２実施形態）
第２実施形態を、第１実施形態に準じて記載する。
ｆ＝12.03〜15.50〜24.97
ズーム比=2.078
Fno=3.9〜4.1〜4.7
2ω＝103.6〜89.5〜62.2°
像高Y=14.5mm
【００３４】
NO         R           D           Nd          νｄ
1*     137.4936      3.0000     1.74330       49.22
2       18.9911     13.4000     1.00000
3      268.2695      1.2000     1.72916       54.67
4       18.5469      0.2000     1.53610       41.20
5*      18.5469      2.8169     1.00000
6       16.1048      2.9472     1.62004       36.30
7       23.6938          d7     1.00000
8 絞り      0.0000      2.0000     1.00000
9      -33.3612      2.0595     1.64769       33.84
10      -10.9085      0.8000     1.88300       40.80
11      -44.7659      0.1500     1.00000
12       35.8376      3.8224     1.64769       33.84
13      -14.3469      0.8000     1.88300       40.80
14      -24.4555      0.7249     1.00000
15      -18.3535      0.8000     1.88300       40.80
16       72.3772      2.0443     1.84666       23.78
17      -43.1781         d17     1.00000
18       21.7255      5.5932     1.49700       81.61
19      -39.0236      0.1500     1.00000
20       32.9738      0.9000     1.83400       37.34
21       18.1690      0.5560     1.00000
22       20.7003      9.9000     1.49700       81.61
23      -14.2715      1.0000     1.90366       31.32
24      -64.8642      4.5078     1.00000
25*    -126.2445      0.2000     1.51460       49.96
26      -58.6094      3.8793     1.48749       70.44
27      -21.6414          BF     1.00000
【００３５】
変倍における可変間隔
ｆ          12.03       15.50       24.97
d7          14.164       9.492       3.419
d17          6.166       3.828       0.433
BF          42.780      50.485      71.570
【００３６】
各焦点距離におけるレンズ全長（レンズ最前面〜像面）
f            12.03       15.50       24.97
OAL        126.561     127.257     138.873
【００３７】
各レンズ群の焦点距離
第1群      -14.949
第2群      -95.863
第3群       27.608
【００３８】
非球面係数
（r1）
A=         1.0
A4=  2.10786E-05
A6= -3.21851E-08
A8=  4.03335E-11
A10= -1.92222E-14
（r5）
A=         1.0
A4=  3.03761E-05
A6= -3.91220E-07
A8=  1.90244E-09
A10= -4.67552E-12
（r25）
A=         1.0
A4= -3.38587E-05
A6= -5.52442E-08
A8=  2.85975E-10
A10= -1.91804E-12
【００３９】
（第３実施形態）
第３実施形態を、第１実施形態に準じて記載する。
ｆ＝10.29〜15.50〜23.40
ズーム比=2.274
Fno=3.6〜4.1〜4.6
2ω＝109.1〜88.8〜65.3°
像高Y=14.5mm
【００４０】
NO         R             D          Nd            νｄ
1*     168.0454        3.0000     1.74330        49.22
2       19.0340       14.6291     1.00000
3     -156.6511        1.2000     1.83481        42.72
4       21.1955        0.2000     1.53610        41.20
5*      22.2937        0.7601     1.00000
6       17.1095        4.0840     1.64769        33.84
7       43.8481        d7         1.00000
8 絞り   0.0000        2.0990     1.00000
9      -19.2718        1.7655     1.58144        40.89
10     -10.1756        0.8000     1.88300        40.80
11     -25.8363        0.1500     1.00000
12      45.5062        3.4667     1.67270        32.17
13     -14.0743        0.8000     1.88300        40.80
14     -18.7893        0.2838     1.00000
15     -16.0732        0.8000     1.88300        40.80
16     124.7596        1.8203     1.92286        20.88
17     -49.4947        d17        1.00000
18      23.4316        7.1658     1.49700        81.61
19     -34.8784        0.1500     1.00000
20      24.6499        0.9000     1.83400        37.34
21      17.5058        0.8500     1.00000
22      22.0452        9.1447     1.49700        81.61
23     -14.2643        0.9000     1.90366        31.32
24    -320.7233        2.5402     1.00000
25*    -89.1125        0.2000     1.53610        41.20
26     -47.2459        5.0698     1.48749        70.44
27     -17.3284        BF         1.00000
【００４１】
変倍における可変間隔
ｆ       10.29   15.50   23.40
d7       17.376   9.710   4.622
d17       8.328   3.916   0.615
BF       38.871  50.202  67.412
【００４２】
各焦点距離におけるレンズ全長（レンズ最前面〜像面)
f         10.29           15.50           23.40
OAL     127.354         126.607         135.429
【００４３】
各レンズ群の焦点距離
第1群   -15.405
第2群   -84.180
第3群    27.533
【００４４】
非球面計数
（r1）
A=      1.0
A4=     2.39344E-05
A6=     -4.12984E-08
A8=     5.74058E-11
A10=    -2.79066E-14
（r5）
A=      1.0
A4=     3.28709E-05
A6=     -3.97606E-07
A8=     2.66226E-09
A10=    -7.04849E-12
（r25）
A=      1.0
A4=     -4.43602E-05
A6=     -4.74406E-09
A8=     -1.80482E-11
A10=    -6.79526E-13
【００４５】
（第４実施形態）
第４実施形態を、第１実施形態に準じて記載する。
ｆ＝10.29〜15.50〜23.40
ズーム比=2.274
Fno=3.6〜4.1〜4.6
2ω＝111.2〜89.5〜65.7°
像高Y=14.5mm
【００４６】
NO         R               D          Nd           νｄ
1*      137.4936        3.0000     1.74330        49.22
2        18.9911       13.4000     1.00000
3       268.2695        1.2000     1.72916        54.67
4        18.5469        0.2000     1.53610        41.20
5*       18.5469        2.8169     1.00000
6        16.1048        2.9472     1.62004        36.30
7        23.6938        d7         1.00000
8 絞り    0.0000        2.0000     1.00000
9       -33.3612        2.0595     1.64769        33.84
10      -10.9085        0.8000     1.88300        40.80
11      -44.7659        0.1500     1.00000
12       35.8376        3.8224     1.64769        33.84
13      -14.3469        0.8000     1.88300        40.80
14      -24.4555        0.7249     1.00000
15      -18.3535        0.8000     1.88300        40.80
16       72.3772        2.0443     1.84666        23.78
17      -43.1781        d17        1.00000
18       21.7255        5.5932     1.49700        81.61
19      -39.0236        0.1500     1.00000
20       32.9738        0.9000     1.83400        37.34
21       18.1690        0.5560     1.00000
22       20.7003        9.9000     1.49700        81.61
23      -14.2715        1.0000     1.90366        31.32
24      -64.8642        4.5078     1.00000
25*    -126.2445        0.2000     1.51460        49.96
26      -58.6094        3.8793     1.48749        70.44
27      -21.6414        BF         1.00000
【００４７】
変倍における可変間隔
ｆ      10.29    15.50   23.40
d7      17.552    9.492   4.072
d17      7.919    3.828   0.832
BF      38.889   50.485  68.066
【００４８】
各焦点距離におけるレンズ全長（レンズ最前面〜像面)
f         10.29           15.50           23.40
OAL     127.812         127.257         136.423
【００４９】
各レンズ群の焦点距離
第1群   -14.949
第2群   -95.863
第3群    27.608
【００５０】
非球面係数
（r1）
A=      1.0
A4=     2.10786E-05
A6=     -3.21851E-08
A8=     4.03335E-11
A10=    -1.92222E-14
（r5）
A=      1.0
A4=     3.03761E-05
A6=     -3.91220E-07
A8=     1.90244E-09
A10=    -4.67552E-12
（r25）
A=      1.0
A4=     -3.38587E-05
A6=     -5.52442E-08
A8=     2.85975E-10
A10=    -1.91804E-12
【００５１】
各実施形態の本発明の条件式の値を以下に示す。
条件式                    第１実施形態                第２実施形態
（１） ft／fw                  2.045                        2.075
（２） | f1／fw|               1.281                        1.242
（３） f3／fw                  2.290                        2.294
（４） D1w／fw                 1.188                        1.177
（５） | h |／fw               1.574                        1.548
（６） | f1／fw  |             1.281                        1.242
【００５２】
条件式                    第３実施形態                第４実施形態
（１） ft／fw                  2.274                        2.274
（２） | f1／fw|               1.497                        1.452
（３） f3／fw                  2.674                        2.682
（４） D1w／fw                 1.689                        1.706
（５） | h |／fw               2.108                        2.083
（６） | f1／fw  |             1.497                        1.453
【００５３】
添付図面の球面収差図及び正弦条件図において、Fno.はFナンバーを表す。dはｄ線（587.56nm）における収差、gはｇ線（435.83nm）における収差、点線及び記号S.C.は正弦条件を表す。
倍率色収差図は、ｄ線に対するｇ線の色収差を表す。Y=14.5は像高を表す。
非点収差図は、d線における収差を表す。実線及び記号Mは球欠方向の非点収差を表し、点線及び記号Ｓは子午方向の非点収差を表す。Y=14.5は像高を表す。
歪曲収差図は、ｄ線における収差を、単位％によって表す。Y=14.5は像高を表す。
【図面の簡単な説明】
【００５４】
【図１】本発明の第１実施形態の広角レンズの光学断面図である。
【図２】本発明の第１実施形態の広角レンズの広角端における収差図である。
【図３】本発明の第１実施形態の広角レンズの中間域における収差図である。
【図４】本発明の第１実施形態の広角レンズの望遠端における収差図である。
【図５】本発明の第２実施形態の広角レンズの光学断面図である。
【図６】本発明の第２実施形態の広角レンズの広角端における収差図である。
【図７】本発明の第２実施形態の広角レンズの中間域における収差図である。
【図８】本発明の第２実施形態の広角レンズの望遠端における収差図である。
【図９】本発明の第３実施形態の広角レンズの光学断面図である。
【図１０】本発明の第３実施形態の広角レンズの広角端における収差図である。
【図１１】本発明の第３実施形態の広角レンズの中間域における収差図である。
【図１２】本発明の第３実施形態の広角レンズの望遠端における収差図である。
【図１３】本発明の第３実施形態の広角レンズの光学断面図である。
【図１４】本発明の第４実施形態の広角レンズの広角端における収差図である。
【図１５】本発明の第４実施形態の広角レンズの中間域における収差図である。
【図１６】本発明の第４実施形態の広角レンズの望遠端における収差図である。
【図１】
0005286518.tif 000003
【図２】
0005286518.tif 000004
【図３】
0005286518.tif 000005
【図４】
0005286518.tif 000006
【図５】
0005286518.tif 000007
【図６】
0005286518.tif 000008
【図７】
0005286518.tif 000009
【図８】
0005286518.tif 000010
【図９】
0005286518.tif 000011
【図１０】
0005286518.tif 000012
【図１１】
0005286518.tif 000013
【図１２】
0005286518.tif 000014
【図１３】
0005286518.tif 000015
【図１４】
0005286518.tif 000016
【図１５】
0005286518.tif 000017
【図１６】
0005286518.tif 000018